(57)【要約】【課題】所望番組の待ち時間にコンテンツを再生する。【解決手段】表示端末装置１では、コンテンツ要求作成部１７は、表示端末装置１の電源投入時またはコンテンツ再生システム１００の実施選択時、または、運動予約時間の開始時刻に、コンテンツ要求を作成する。通信部１２は、作成したコンテンツ要求および視聴予約番組開始時刻情報をサーバ２に送信する。サーバ２では、待ち時間算出部２２が、コンテンツ要求に応じて、現在時刻から視聴予約番組開始時刻までの待ち時間を算出する。コンテンツリスト生成部２３は、算出した待ち時間よりも短い再生時間のコンテンツを検索する。通信部２１は、検索したコンテンツのデータを表示端末装置１に送信する。表示端末装置１では、表示部１３が、サーバ２から送信されたコンテンツをディスプレイ５に再生する。【選択図】図１
2011029916.tif 000002
【特許請求の範囲】
【請求項１】
放送番組を再生するコンテンツ再生装置であって、
ある時点から所望の放送番組が再生されるまでの待ち時間を決定する決定手段と、
上記決定手段によって決定された上記待ち時間よりも短い再生時間のコンテンツを検索する検索手段と、
上記検索手段によって検索された上記コンテンツを、上記待ち時間中に再生する再生手段とを備えていることを特徴とするコンテンツ再生装置。
【請求項２】
上記コンテンツは、エクササイズコンテンツを含むことを特徴とする請求項１に記載のコンテンツ再生装置。
【請求項３】
上記所望の放送番組を視聴予約する予約手段をさらに備え、
上記決定手段は、電源投入時または上記コンテンツ再生装置の動作開始時から上記所望の放送番組の開始時刻までの時間を算出することによって、上記待ち時間を決定することを特徴とする請求項１または２に記載のコンテンツ再生装置。
【請求項４】
上記所望の放送番組を視聴予約する予約手段と、
上記所望の放送番組の開始時刻前における所望の運動時間を設定する運動時間設定手段と、
電源投入時または上記コンテンツ再生装置の動作開始時から上記所望の放送番組の開始時刻までの残り時間が上記運動時間よりも長いか否か判定する判定手段とをさらに備え、
上記決定手段は、
上記残り時間が上記運動時間よりも長い場合に、上記運動時間の開始時刻から上記所望の放送番組の開始時刻までの時間を算出することによって、上記待ち時間を決定し、
上記残り時間が上記運動時間よりも短い場合に、電源投入時または上記コンテンツ再生装置の動作開始時から上記所望の放送番組の開始時刻までの時間を算出することによって、上記待ち時間を決定することを特徴とする請求項１または２に記載のコンテンツ再生装置。
【請求項５】
上記決定手段は、上記所望の放送番組の開始時刻から終了時刻までの間に放送されるコマーシャルの再生時間に関する情報を取得することによって、上記待ち時間を決定することを特徴とする請求項１または２に記載のコンテンツ再生装置。
【請求項６】
ユーザの好みのコンテンツに関するユーザ情報を入力する入力手段をさらに備え、
上記検索手段は、上記入力手段により入力された上記ユーザ情報に関連する上記コンテンツを検索することを特徴とする請求項１〜５のいずれか１項に記載のコンテンツ再生装置。
【請求項７】
放送番組を再生するコンテンツ再生方法であって、
ある時点から上記所望の放送番組が再生されるまでの待ち時間を決定する決定工程と、
上記決定工程において決定された上記待ち時間よりも短い再生時間のコンテンツを検索する検索工程と、
上記検索工程において検索された上記コンテンツを、上記待ち時間中に再生する再生工程とを備えていることを特徴とするコンテンツ再生方法。
【請求項８】
放送番組を再生するコンテンツ再生装置、および、サーバ装置を備えており、
上記コンテンツ再生装置は、
所望の番組に関する情報を上記サーバ装置に送信する送信手段と、
上記サーバ装置から送信されるコンテンツを受信する受信手段と、
上記受信手段が受信した上記コンテンツを、ある時点から上記所望の放送番組が再生されるまでの待ち時間中に再生する再生手段とを備えており、
上記サーバ装置は、
上記送信手段から送信される情報を受信するサーバ側受信手段と、
上記待ち時間を決定する決定手段と、
上記待ち時間よりも短い再生時間の上記コンテンツを検索する検索手段と、
上記検索手段によって検索された上記コンテンツを、上記コンテンツ再生装置に送信するサーバ側送信手段とを備えていることを特徴とするコンテンツ再生システム。
【請求項９】
放送番組を再生するコンテンツ再生装置、および、サーバ装置を備えており、
上記コンテンツ再生装置は、
上記サーバ装置から送信されるコンテンツを受信する受信手段と、
ある時点から所望の放送番組が再生されるまでの待ち時間を決定する決定手段と、
上記受信手段が受信した上記コンテンツを、上記待ち時間中に再生する再生手段と、
所望の番組に関する情報、および上記決定手段によって決定された上記待ち時間の情報を上記サーバ装置に送信する送信手段と、を備えており、
上記サーバ装置は、
上記送信手段から送信される情報を受信するサーバ側受信手段と、
上記待ち時間よりも短い再生時間の上記コンテンツを検索する検索手段と、
上記検索手段によって検索された上記コンテンツを、上記コンテンツ再生装置に送信するサーバ側送信手段とを備えていることを特徴とするコンテンツ再生システム。
【請求項１０】
請求項１〜６のいずれか１項に記載のコンテンツ再生装置を動作させるコンテンツ再生プログラムであって、コンピュータを上記の各手段として機能させるためのコンテンツ再生プログラム。
【請求項１１】
請求項１０に記載のコンテンツ再生プログラムを記録しているコンピュータ読み取り可能な記録媒体。
【発明の詳細な説明】
【技術分野】
【０００１】
本発明は、ユーザにコンテンツを提供するコンテンツ再生装置、コンテンツ再生方法、コンテンツ再生システム、コンテンツ再生プログラム、および記録媒体に関するものである。
【背景技術】
【０００２】
２００８年４月から特定健康診査および特定保健指導が試行され、健保組合などには、４０〜７４歳の健康保険加入者を対象にしたメタボリックシンドローム（内臓脂肪症候群）に関する健診および指導が義務づけられている。これに伴い健康増進や肥満防止に対する志向が高まっている。
【０００３】
また、近年増えている糖尿病や高血圧症などの生活習慣病の原因は、多くの場合、内臓脂肪の蓄積であるため、これらを予防するためには、適度な運動とバランスの取れた食事によって内臓脂肪を減らすことが不可欠であるといわれている。
【０００４】
このような社会背景において、運動習慣への社会的意識が高まっている。例えば、自宅等の屋内において、テレビなどの表示端末装置を用いて「体操」などの番組や、エクササイズコンテンツが収録されたＤＶＤなどを視聴しながらエクササイズを実施するユーザが増加している。また、家庭用ゲーム機をテレビなどの表示端末装置に接続して、ゲーム感覚でエクササイズを実施するユーザも増加している。
【０００５】
ところで、近年、コンテンツのデジタル化が進み、数多くのコンテンツをネットワーク経由で取得および録画し、自分の都合の良い好きな時間にコンテンツを視聴することが可能になっている。簡単に大量のコンテンツを取得できるため、ユーザには大量のコンテンツの中から所望のコンテンツを検索することが必要とされる。
【０００６】
そこで、所望のコンテンツを迅速に検索する技術がいくつか開発されている。特許文献１および２には、複数の録画手段に録画されている番組の管理を容易にするナビゲーション機能に関する技術が開示されている。
【先行技術文献】
【特許文献】
【０００７】
【特許文献１】特開２００６−６７５４０号公報（２００６年３月９日公開）
【特許文献２】特開２００６−８１１０９号公報（２００６年３月２３日公開）
【発明の概要】
【発明が解決しようとする課題】
【０００８】
しかしながら、従来のエクササイズ方法では、以下のような課題がある。
【０００９】
テレビなどの表示端末装置にてエクササイズ番組を視聴してエクササイズを行う場合、録画されたコンテンツを検索する作業や、エクササイズ番組の開始時刻にテレビなどの表示端末装置を当該番組の放送チャンネルに合わせるように設定する作業などが必要である。これらの作業については、例えば特許文献１および２のように、作業自体を簡単にする技術が開発されているが、例え簡単な作業であってもこのような作業が発生すること自体が、ユーザのエクササイズ実施に対する心理的なハードルを高くしてしまう。
【００１０】
ＤＶＤ視聴によりエクササイズを実施する場合、番組視聴の場合とは異なり時間の制約がなく、自分の望む時刻にエクササイズを実施することが可能である。しかしながら、ＤＶＤをＤＶＤプレイヤーなどの再生装置にセットし再生する作業だけでも、上記番組視聴の場合と同様に心理的ハードルが高いため、ユーザがエクササイズに取り組む際に二の足を踏んでしまう。
【００１１】
また、ゲーム機によるエクササイズを実施する場合では、上記番組視聴およびＤＶＤ視聴の場合と同様に心理的ハードルが高いという課題が存在し、さらに、ユーザ自身が終了時刻を設定する必要があるため、ユーザの実施がだらだらとしたものになってしまう。
【００１２】
このような事情から、従来の方法では、エクササイズを習慣として継続的に行うことが難しいという問題がある。
【００１３】
なお、このような問題はエクササイズの分野に限られず、語学学習などの能力開発や、料理などのスキルアップ講座の受講など、ユーザの実施に対する心理的なハードルが高い分野において同様に存在する。
【００１４】
本発明は上記の問題点に鑑みてなされたものであり、その目的は、ユーザが習慣として実施可能であるような態様においてコンテンツを提供するコンテンツ再生装置を提供することにある。
【課題を解決するための手段】
【００１５】
本発明に係るコンテンツ再生装置は、上記の課題を解決するために、
放送番組を再生するコンテンツ再生装置であって、
ある時点から所望の放送番組が再生されるまでの待ち時間を決定する決定手段と、
上記決定手段によって決定された上記待ち時間よりも短い再生時間のコンテンツを検索する検索手段と、
上記検索手段によって検索された上記コンテンツを、上記待ち時間中に再生する再生手段とを備えていることを特徴としている。
【００１６】
上記の構成によれば、コンテンツ再生装置は、所望の放送番組を再生するまでの待ち時間を決定し、当該待ち時間よりも短い再生時間のコンテンツを検索する。上記待ち時間としては、例えば視聴予約番組の開始前の一定時間、および番組中のＣＭ時間などが挙げられる。
【００１７】
また、コンテンツ再生装置は、検索したコンテンツを、上記待ち時間中に再生する。ここで、コンテンツの再生時間は上記待ち時間よりも短いため、所望の放送番組が再生開始する前にコンテンツの再生が終了する。
【００１８】
以上のように、コンテンツ再生装置は、所望の番組が再生されるまでの待ち時間中に実施できるコンテンツをユーザに提供する。その結果、ユーザは、上記待ち時間にコンテンツを視聴しながらエクササイズ、語学学習などの能力開発、または料理などのスキルアップ講座の受講などを実施することができるため、これらを習慣として継続することができる。
【００１９】
（コンテンツ再生方法）
本発明に係るコンテンツ再生方法は、上記の課題を解決するために、放送番組を再生するコンテンツ再生方法であって、
ある時点から上記所望の放送番組が再生されるまでの待ち時間を決定する決定工程と、
上記決定工程において決定された上記待ち時間よりも短い再生時間のコンテンツを検索する検索工程と、
上記検索工程において検索された上記コンテンツを、上記待ち時間中に再生する再生工程とを備えていることを特徴としている。
【００２０】
上記の構成によれば、本発明に係るコンテンツ再生装置と同様の作用効果を奏する。
【００２１】
（コンテンツの一例）
本発明に係るコンテンツ再生装置において、上記コンテンツは、エクササイズコンテンツを含むものであってもよい。
【００２２】
エクササイズコンテンツとしては、例えば筋肉トレーニングやストレッチなどの体操番組が挙げられる。
【００２３】
（視聴予約番組開始前の時間の利用）
また、本発明に係るコンテンツ再生装置は、上記所望の放送番組を視聴予約する予約手段をさらに備え、
上記決定手段は、電源投入時または上記コンテンツ再生装置の動作開始時から上記所望の放送番組の開始時刻までの時間を算出することによって、上記待ち時間を決定することが好ましい。
【００２４】
上記構成によれば、ユーザは、電源投入時または上記コンテンツ再生装置の動作開始時から視聴予約番組の開始時刻までの待ち時間を利用して、エクササイズなどを実施することができる。
【００２５】
（運動予約時間の利用）
また、本発明に係るコンテンツ再生装置は、
上記所望の放送番組を視聴予約する予約手段と、
上記所望の放送番組の開始時刻前における所望の運動時間を設定する運動時間設定手段と、
電源投入時または上記コンテンツ再生装置の動作開始時から上記所望の放送番組の開始時刻までの残り時間が上記運動時間よりも長いか否か判定する判定手段とをさらに備え、
上記決定手段は、
上記残り時間が上記運動時間よりも長い場合に、上記運動時間の開始時刻から上記所望の放送番組の開始時刻までの時間を算出することによって、上記待ち時間を決定し、
上記残り時間が上記運動時間よりも短い場合に、電源投入時または上記コンテンツ再生装置の動作開始時から上記所望の放送番組の開始時刻までの時間を算出することによって、上記待ち時間を決定することが好ましい。
【００２６】
上記構成によれば、コンテンツ再生装置は、電源投入時または上記コンテンツ再生装置の動作開始時のタイミングに従って、待ち時間の種類を選択することができる。
【００２７】
すなわち、コンテンツ再生装置の電源投入時または上記コンテンツ再生装置の動作開始時のタイミングが、設定された予約運動時間の開始時刻の前である場合、コンテンツ再生装置は、設定された運動時間を上記待ち時間として、当該待ち時間中にコンテンツを再生する。
【００２８】
一方、コンテンツ再生装置の電源投入時または上記コンテンツ再生装置の動作開始時のタイミングが、設定された予約運動時間の開始時刻を過ぎている場合、コンテンツ再生装置は、電源投入時または上記コンテンツ再生装置の動作開始時から所望の放送番組の開始時刻までの時間を上記待ち時間として、当該待ち時間中にコンテンツを再生する。
【００２９】
したがって、ユーザは、視聴予約を行う際に運動時間を設定しておけば、視聴予約番組の開始前における所望の待ち時間を利用して、エクササイズなどを実施することができる。また、コンテンツ再生装置の電源投入時または上記コンテンツ再生装置の動作開始時のタイミングが運動時間の開始時刻を過ぎていたとしても、ユーザは、そのタイミングから視聴予約番組の開始時刻までの待ち時間を利用してエクササイズなどを実施することができる。
【００３０】
（ＣＭ時間の利用）
また、本発明に係るコンテンツ再生装置において、
上記決定手段は、上記所望の放送番組の開始時刻から終了時刻までの間に放送されるコマーシャルの再生時間に関する情報を取得することによって、上記待ち時間を決定することが好ましい。
【００３１】
上記構成によれば、コンテンツ再生装置は、ＣＭ（コマーシャル）再生時間よりも短い再生時間のコンテンツを検索し、当該ＣＭ再生時間中に、検索したコンテンツを再生する。
【００３２】
したがって、ユーザは、ＣＭ再生時間にコンテンツを視聴しながらエクササイズなどを実施することができる。これによれば、ユーザは、実施の際の心理的な障害を感じずに、エクササイズなどを習慣として継続することができる。
【００３３】
（コンテンツ検索の一例）
また、本発明に係るコンテンツ再生装置は、
ユーザの好みのコンテンツに関するユーザ情報を入力する入力手段をさらに備え、
上記検索手段は、上記入力手段により入力された上記ユーザ情報に関連する上記コンテンツを検索することが好ましい。
【００３４】
上記構成によれば、入力されたユーザ情報は、ユーザが明示的に選択した好みのコンテンツに関する情報である。よって、コンテンツ再生装置は、上記待ち時間よりも短い再生時間のコンテンツであって、さらにユーザの好みのコンテンツを検索する。
【００３５】
したがって、ユーザは、所望の放送番組が再生されるまでの待ち時間に、ユーザの好みのコンテンツを視聴することができる。また、ユーザは、好みの種類を選択するという、既によく知られた簡単な入力操作を行うだけでよい。
【００３６】
（コンテンツ再生システム）
本発明に係るコンテンツ再生システムは、上記の課題を解決するために、
放送番組を再生するコンテンツ再生装置、および、サーバ装置を備えており、
上記コンテンツ再生装置は、
所望の番組に関する情報を上記サーバ装置に送信する送信手段と、
上記サーバ装置から送信されるコンテンツを受信する受信手段と、
上記受信手段が受信した上記コンテンツを、ある時点から上記所望の放送番組が再生されるまでの待ち時間中に再生する再生手段とを備えており、
上記サーバ装置は、
上記送信手段から送信される情報を受信するサーバ側受信手段と、
上記待ち時間を決定する決定手段と、
上記待ち時間よりも短い再生時間の上記コンテンツを検索する検索手段と、
上記検索手段によって検索された上記コンテンツを、上記コンテンツ再生装置に送信するサーバ側送信手段とを備えていることを特徴としている。
【００３７】
また、本発明に係るコンテンツ再生システムは、上記の課題を解決するために、
放送番組を再生するコンテンツ再生装置、および、サーバ装置を備えており、
上記コンテンツ再生装置は、
上記サーバ装置から送信されるコンテンツを受信する受信手段と、
ある時点から所望の放送番組が再生されるまでの待ち時間を決定する決定手段と、
上記受信手段が受信した上記コンテンツを、上記待ち時間中に再生する再生手段と、
所望の番組に関する情報、および上記決定手段によって決定された上記待ち時間の情報を上記サーバ装置に送信する送信手段と、を備えており、
上記サーバ装置は、
上記送信手段から送信される情報を受信するサーバ側受信手段と、
上記待ち時間よりも短い再生時間の上記コンテンツを検索する検索手段と、
上記検索手段によって検索された上記コンテンツを、上記コンテンツ再生装置に送信するサーバ側送信手段とを備えていてもよい。
【００３８】
上記のいずれかの構成によれば、コンテンツ再生システムは、ある時点から所望の放送番組が再生されるまでの待ち時間に、コンテンツを確実に再生できることができる。
【００３９】
（プログラムおよび記録媒体）
なお、上記コンテンツ再生装置は、コンピュータによって実現してもよい。この場合、コンピュータを上記各手段として動作させることにより上記コンテンツ再生装置をコンピュータにおいて実現するコンテンツ再生プログラム、およびそのコンテンツ再生プログラムを記録したコンピュータ読み取り可能な記録媒体も、本発明の範疇に入る。
【発明の効果】
【００４０】
以上のように、本発明に係るコンテンツ再生装置は、放送番組を再生するコンテンツ再生装置であって、ある時点から所望の放送番組が再生されるまでの待ち時間を決定する決定手段と、上記待ち時間よりも短い再生時間のコンテンツを検索する検索手段と、上記検索手段によって検索された上記コンテンツを、上記待ち時間中に再生する再生手段とを備えているため、ユーザが上記待ち時間を利用してコンテンツを視聴しながらエクササイズなどを実施できるという効果を奏する。
【図面の簡単な説明】
【００４１】
【図１】本発明の一実施形態に係るコンテンツ再生システムの要部構成を示すブロック図である。
【図２】本発明の一実施形態に係るコンテンツ再生システムを示す概略構成図である。
【図３】表示端末装置における視聴予約および運動予約の処理を示すフローチャートである。
【図４】表示端末装置およびサーバにおけるコンテンツ再生処理を示すフローチャートである。
【図５】サーバにおけるコンテンツリスト生成の処理を示すフローチャートである。
【図６】エクササイズ開始画面を表示しているディスプレイを表す図である。
【図７】第２の実施形態に係るコンテンツ再生システムの要部構成を示すブロック図である。
【図８】表示端末装置における視聴予約および運動予約の処理を示すフローチャートである。
【図９】サーバにおけるＣＭ用コンテンツ生成の処理を示すフローチャートである。
【図１０】ＣＭ用エクササイズ開始画面を表示しているディスプレイを表す図である。
【図１１】第３の実施形態に係る表示端末装置を示す模式図である。
【図１２】第３の実施形態に係るサーバを示す模式図である。
【図１３】本発明の他の実施形態に係るコンテンツ再生システムを示す概略構成図である。
【発明を実施するための形態】
【００４２】
〔実施形態１〕
本発明の第１の実施形態について、図１〜図６を参照して以下に説明する。
【００４３】
なお、以下では、コンテンツとしてエクササイズコンテンツを対象として説明するが、本発明はこれに限られず、語学学習などの能力開発のためのコンテンツや、料理等のスキルアップのためのコンテンツを対象とするものであってもよい。
【００４４】
また、以下では、表示端末装置およびサーバを備えるコンテンツ再生システムについて説明するが、本発明はこれに限られず、表示端末装置がサーバの有する機能を兼ね備えた表示端末装置単体としても実現することができる。
【００４５】
（コンテンツ再生システム１００の構成）
まず、本実施形態に係るコンテンツ再生システム１００について、図１および図２を参照して以下に説明する。図１は、本発明の一実施形態に係るコンテンツ再生システム１００を概略的に示すブロック図である。図２は、コンテンツ再生システム１００の概略構成図である。
【００４６】
図２に示すように、コンテンツ再生システム１００は、表示端末装置１およびサーバ２を含んでいる。両者は、インターネットなどのネットワーク３を介して互いに接続され、データおよび情報をやり取りする。
【００４７】
また、図１に示すように、表示端末装置１は、操作装置４（入力手段）およびディスプレイ５（再生手段）に接続されている。ディスプレイは図示しないスピーカを備えており、音声出力機能を有する。なお、図１中、表示端末装置１は操作装置４およびディスプレイ５と別体として示されているが、本発明はこれに限られず、表示端末装置１は、操作装置４およびディスプレイ５と一体化されていてもよい。
【００４８】
表示端末装置１は、入力部１１、通信部１２（送信手段、受信手段）、表示部１３、視聴予約部１４（予約手段）、予約情報記憶部１５、運動時間設定部１６（運動時間設定手段）、コンテンツ要求作成部１７（判定手段）、およびコンテンツデータ蓄積部１８を備えている。各部材の詳細については後述する。
【００４９】
ここで、表示端末装置１は例えばテレビジョン装置であり、図示しないアンテナによって放送局からの放送番組を受信する。以下、特段の断りがない限り、「番組」とは放送番組を意味するものとする。
【００５０】
サーバ２は、通信部２１（サーバ側受信手段、サーバ側送信手段）、待ち時間算出部２２（決定手段）、コンテンツリスト生成部２３（検索手段）、コンテンツ取得部２４、およびエクササイズコンテンツデータベース２５を備えている。各部材の詳細については後述する。
【００５１】
（コンテンツ再生システム１００の概要）
コンテンツ再生システム１００では、予めユーザが表示端末装置１に、視聴予約を入力し、さらに視聴予約番組の何時分前から運動を始めるかについての運動予約を設定する。
【００５２】
表示端末装置１は、運動予約時間の開始時刻に達したとき、または本システム実施選択時に、サーバ２にエクササイズコンテンツを要求する。
【００５３】
サーバ２は、表示端末装置１からエクササイズコンテンツの要求を受信し、表示端末装置１から受信した視聴予約番組の開始時刻、および現在時刻に基づいて、視聴予約番組が再生されるまでの待ち時間を算出する。さらに、上記待ち時間よりも短い再生時間のエクササイズコンテンツをエクササイズコンテンツデータベース１５から検索し、コンテンツリストを生成する。サーバ２は、生成したコンテンツリストに基づいて取得したエクササイズコンテンツのデータを表示端末装置１に送信する。表示端末装置１は、受信したエクササイズコンテンツを上記待ち時間中に再生する。
【００５４】
これによって、ユーザは視聴予約番組が開始する前の一定時間に、表示端末装置を視聴しながらエクササイズを実施することができるため、エクササイズを習慣として継続することが可能である。
【００５５】
（エクササイズコンテンツ再生処理の一例）
コンテンツ再生システム１００におけるエクササイズコンテンツ再生処理の一例について以下に説明する。
【００５６】
＜視聴予約および運動予約＞
まず、表示端末装置１における視聴予約および運動予約について図３を参照して以下に説明する。図３は、表示端末装置１における視聴予約および運動予約の処理を示すフローチャートである。
【００５７】
始めに、表示部１３が番組予約ページをディスプレイ５に表示する（ステップＳ１）。ユーザは操作装置４を操作し、視聴予約番組についての情報（番組名や視聴番組開始時刻）を入力部１１に入力する（ステップＳ２）。入力部１１は、入力された視聴予約番組情報を、予約情報記憶部１５に出力する。予約情報記憶部１５は、入力された視聴予約番組情報を自ら記憶し、予約番組の登録をする（ステップＳ３）。
【００５８】
次いで、ユーザは操作装置４を操作し、視聴予約した番組が開始する時刻の何分前からエクササイズを始めるか、運動予約時間（運動時間（分））についての情報を入力部１１に入力する。入力部１１は、入力された運動予約時間についての情報を、予約情報記憶部１５に出力する。予約情報記憶部１５は、入力された運動予約時間情報を自ら記憶し、運動予約時間の登録をする（ステップＳ４）。なお、運動予約時間の登録については、このように視聴予約の際にその都度手入力してもよいし、予め行っていてもよい。最後に、表示部１３は登録された情報をディスプレイ５に表示する。
【００５９】
＜エクササイズコンテンツの再生＞
コンテンツ再生システム１００では、ユーザが視聴予約および運動予約を行った後、視聴予約番組の開始前に表示端末装置１の電源を入れたとき（電源投入時）、または、リモコンなどの入力装置によりコンテンツ再生システム１００の実施を選択したとき（動作開始時）をタイミングとしてエクササイズコンテンツ再生処理を開始する。表示端末装置１およびサーバ２におけるエクササイズコンテンツ再生処理の詳細について図４を参照して説明する。図４は、表示端末装置１およびサーバ２における処理を示すフローチャートである。
【００６０】
まず、表示端末装置１に電源が入る、または、ユーザが本システムの実施を選択すると、表示端末装置１では、表示部１３がそのときに設定されている放送チャンネルの番組をディスプレイ５に再生し（ステップＳ１１）、コンテンツ要求作成部１７は、現在時刻以降に開始する視聴予約番組が登録されているか否かを判定する（ステップＳ１２）。視聴予約がないと判定した場合、表示部１３はそのまま番組をディスプレイ５に再生し続ける（ステップＳ１９）。
【００６１】
視聴予約があると判定したとき、コンテンツ要求作成部１７は、現在時刻が視聴予約番組の開始時刻から運動予約時間（分）を引いた時刻（運動予約時間の開始時刻）であるか否か、または、現在時刻が当該時刻を過ぎているか否かの判定を行う（ステップＳ１３）。
【００６２】
例えば、表示端末装置１の電源が入れられた時刻から視聴予約番組の開始時刻までの残り時間が、運動予約時間よりも長い場合、始め、現在時刻は運動予約時間の開始時刻を過ぎていない。よってステップＳ１３では、コンテンツ要求作成部１７はＮｏと判定し、表示部１３はそのまま番組をディスプレイ５に再生し続ける（ステップＳ１１）。その後、現在時刻が運動予約時間の開始時刻となるまで、コンテンツ要求作成部１７はステップＳ１２およびＳ１３を繰り返す。現在時刻が運動予約時間の開始時刻になったとき、ステップＳ１３においてコンテンツ要求作成部１７はＹｅｓと判定する。その後、コンテンツ要求作成部１７は、コンテンツ要求を生成し、視聴予約番組開始時刻情報と共に通信部１２に出力する。通信部１２は、入力されたコンテンツ要求および視聴予約番組開始時刻情報をサーバ２に送信する（ステップＳ１４）。
【００６３】
一方、表示端末装置１の電源が入れられた時刻から視聴予約番組の開始時刻までの残り時間が運動予約時間以下である場合、現在時刻（表示端末装置１の電源が入れられた時刻）は、運動予約時間の開始時刻を過ぎている。よって、ステップＳ１３ではコンテンツ要求作成部１７がＹｅｓと判定する。その後、コンテンツ要求作成部１７は、コンテンツ要求を生成し、視聴予約番組開始時刻情報と共に通信部１２に出力する。通信部１２は、入力されたコンテンツ要求および視聴予約番組開始時刻情報をサーバ２に送信する（ステップＳ１４）。
【００６４】
通信部１２から送信されたコンテンツ要求および視聴予約番組開始時刻情報を、サーバ２の通信部２１が受信する（ステップＳ２１）。通信部２１は、視聴予約番組開始時刻情報をコンテンツリスト生成部２３に出力し、コンテンツリスト生成部２３はコンテンツリスト生成処理を行う（ステップＳ２１）。コンテンツ取得部２４は、コンテンツ要求に応じて、コンテンツリスト生成部２３の生成したコンテンツリストに基づき、エクササイズコンテンツのデータをエクササイズコンテンツデータベース２５から取得し、通信部２１に出力する。通信部２１は、エクササイズコンテンツのデータを表示端末装置１に送信する（ステップＳ２３）。なお、コンテンツリスト生成についての詳細は後述にて説明する。
【００６５】
サーバ２から送信されたエクササイズコンテンツのデータを、表示端末装置１の通信部１２が受信し、コンテンツデータ蓄積部１８に出力する。コンテンツデータ蓄積部１８は、入力されたエクササイズコンテンツのデータを自ら記憶し、当該データを、表示部１３に出力する。表示部１３は、入力されたエクササイズコンテンツをディスプレイ５に再生する（ステップＳ１５）。
【００６６】
エクササイズコンテンツを再生する際、表示部１３は図６に示すような画面をディスプレイ５に表示することが好ましい。図６は、ディスプレイ５の表示する画面の一例を示す図である。このとき、画面には、コンテンツ名、運動強度、消費カロリー、運動時間、およびエクササイズの概要などのコンテンツ内容が表示される。また、予約番組のタイトル、その開始時刻、開始時刻までの残り時間、および、これから再生を開始するコンテンツが残り時間を利用したエクササイズコンテンツである旨についても表示されることが好ましい。これによって、ユーザは自分が選択したわけではないコンテンツが再生される場合であっても、その内容を予め認識することができる。
【００６７】
次いで、表示端末装置１では、エクササイズコンテンツが終了するまで（または視聴予約番組の開始時刻となるまで）、表示部１３がエクササイズコンテンツをディスプレイ５に再生し続ける（ステップＳ１６）。
【００６８】
エクササイズコンテンツが終了すると、表示部１３は図示しない放送アンテナから視聴予約番組を受信し、受信した視聴予約番組をディスプレイ５に再生する（ステップＳ１７）。表示部１３は、視聴予約番組が終了するまでその再生を継続する（ステップＳ１８）。視聴予約番組が終了すると、表示部１３は通常の番組再生に戻る（ステップＳ１９）。
【００６９】
なお、ステップＳ１４では、コンテンツリスト生成処理およびコンテンツ送信のために必要な時間を鑑みて、表示端末装置１では、視聴予約番組の開始時刻から運動予約時間（分）を引いた時刻より少し前にコンテンツ要求送信を行ってもよい。
【００７０】
＜コンテンツリスト生成＞
次に、サーバ２におけるコンテンツリスト生成について図５を参照して説明する。図５は、サーバ２におけるコンテンツリスト生成の処理を示すフローチャートである。
【００７１】
初めに、サーバ２では、通信部２１が、表示端末装置１からコンテンツ要求および視聴予約番組開始時刻情報を受信する。通信部２１は、受信した情報を待ち時間算出部２２に出力し、待ち時間算出部２２は、入力された視聴予約番組の開始時刻情報を読み込む（ステップＳ３１）。待ち時間算出部２２は、さらに、現在時刻情報を読み込む（ステップＳ３２）。なお、現在時刻情報については、例えばサーバ２の内蔵する時刻管理モジュールを参照すればよい。
【００７２】
次いで、待ち時間算出部２２は、現在時刻（運動予約時間の開始時刻、または表示端末装置１の電源が入れられた時刻もしくは本システムの実施を選択した時刻）から視聴予約番組の開始時刻までの時間を、待ち時間として算出する（ステップＳ３３）。待ち時間算出部２２は、算出した待ち時間をコンテンツリスト生成部２３に出力する。
【００７３】
コンテンツリスト生成部２３は、入力された待ち時間よりも短い再生時間のエクササイズコンテンツを、エクササイズコンテンツデータベース２５から検索し（ステップＳ３４）、検索したエクササイズコンテンツをリスト化する（ステップＳ３５）。これにより、コンテンツリスト生成部２３は、上記待ち時間内に再生可能なエクササイズコンテンツによるコンテンツリストを生成する。
【００７４】
なお、エクササイズコンテンツデータベース２５は、様々な種類のエクササイズコンテンツを記録している。エクササイズコンテンツには、コンテンツＩＤ、コンテンツ名称、コンテンツジャンル、表示時間（再生時間）、コンテンツ内容の概要、ＵＲＬ、エクササイズの運動強度や消費カロリー、および運動時間なども記載されている。
【００７５】
（実施形態１の利点）
以上のように、表示端末装置１は、視聴予約番組が再生されるまでの待ち時間にエクササイズコンテンツを再生し、視聴予約番組の開始時刻前にはエクササイズコンテンツの再生を終了する。その結果、ユーザは所望の番組までの待ち時間を利用してエクササイズを実施することができるため、エクササイズを習慣として継続することが可能である。
【００７６】
また、視聴予約を行う際等に運動予約時間を設定しておけば、視聴予約番組が再生される前の所望の時間に、エクササイズを実施することができる。
【００７７】
また、表示端末装置１の電源を入れた時または本システム実施を選択した時に、運動予約時間の開始時刻を過ぎていたとしても、ユーザは、その現在時刻から視聴予約番組の開始時刻までの待ち時間にエクササイズを実施することができる。
【００７８】
（エクササイズコンテンツの検索例）
コンテンツリスト生成部２３は、ユーザが前もって登録したユーザ情報を、エクササイズコンテンツの検索に用いることができる。
【００７９】
具体的には、ユーザが、操作装置４を操作し、ユーザの性別および体力、ならびにヨガや筋トレ等の好みのエクササイズジャンル、インストラクター等の好みの講師、出版社やスポーツクラブなど好みの発行元、希望の運動強度、および希望の消費カロリーなどのユーザ情報を入力する。これらのユーザ情報は、表示端末装置１からネットワーク３を介してサーバ２内のメモリ（図示しない）に記憶される。サーバ２では、コンテンツリスト生成部２３が、記憶したユーザ情報に基づいて、ユーザ情報に合致し、かつ再生時間の条件を満たすエクササイズコンテンツを検索する。これによって、ユーザのエクササイズに対する意欲をより高めることが可能なエクササイズコンテンツを検索することができる。
【００８０】
なお、コンテンツリスト生成部２３は、ユーザ情報に合致するエクササイズコンテンツの内からランダムに選択してもよいし、再生時間の最も長いものを選択してもよい。
【００８１】
また、コンテンツリスト生成部２３は、ユーザ情報に合致するエクササイズコンテンツに、再生時間の条件を満たすものが無かった場合には、他のエクササイズコンテンツから時間の条件を満たすものを検索してもよい。
【００８２】
これらの検索条件については、ユーザが適宜、選択または変更してもよい。
【００８３】
（エクササイズコンテンツの変形例）
エクササイズコンテンツは、複数のエクササイズコンテンツを組み合わせて合成したり、再生時間が長いエクササイズコンテンツをカットしたりして、編集されたものであってもよい。
【００８４】
例えば、コンテンツリスト生成部２３は、検索したエクササイズコンテンツの再生時間が全て、入力された待ち時間に対して一定以上に短いものであると判定した場合、当該再生時間が待ち時間にちょうど良く収まるように、複数のエクササイズコンテンツを組み合わせて合成したものを、リスト化してもよい。
【００８５】
また、コンテンツリスト生成部２３は、検索したエクササイズコンテンツの再生時間が全て、入力された待ち時間以上に長いものであると判定した場合、当該再生時間が待ち時間にちょうど良く収まるように、エクササイズコンテンツをカットしたものをリスト化してもよい。
【００８６】
なお、サーバ２は、上述のようなエクササイズコンテンツの編集を行うコンテンツ編集部を備えていてもよい。
【００８７】
（待ち時間算出部２２の変形例）
また、待ち時間算出部２２は、サーバ装置２内ではなく表示端末装置１内にあって、残り時間の算出（ステップＳ３３）を表示端末装置１内で行ってもよい。この場合、ステップＳ１４では、表示端末装置１はサーバ装置２に対して、コンテンツ要求と共に残り時間を送信する。サーバ装置２の通信部２１は、表示端末装置１から送信された残り時間を受信し、コンテンツリスト生成部に出力する。
【００８８】
（コンテンツ再生システム１００の変形例）
本実施形態において、サーバ２は、図１３に示すように、表示端末装置１と同じ家屋内に設置されるホームサーバ６であってもよい。表示端末装置１とホームサーバ６とはネットワーク３を介さずに接続されている。なお、ホームサーバ６内の構造や処理内容はサーバ２と同様である。
【００８９】
（表示端末装置１の変形例）
本実施形態において、表示端末装置１は、サーバ２が有する機能を兼ね備えることができる。具体的には、表示端末装置１は、待ち時間算出部２２、コンテンツリスト生成部２３、およびコンテンツ取得部２４を備え、エクササイズコンテンツデータを自らが管理し、必要に応じて検索して取り出し、再生することができる。すなわち、本発明は、コンテンツ再生システム１００の構成に限定されることなく、待ち時間算出部２２、コンテンツリスト生成部２３、およびコンテンツ取得部２４を備えた表示端末装置１単体（コンテンツ再生装置）としても実現できる。
【００９０】
〔実施形態２〕
本発明に係る第２の実施形態について、図７〜図１０を参照して以下に説明する。なお、実施形態１と同様の部材については同一の符号を付し、その説明を省略する。
【００９１】
（コンテンツ再生システム１００ａの構成）
まず、本実施形態に係るコンテンツ再生システム１００ａについて、図７を参照して以下に説明する。図７は、本発明の第２実施形態に係るコンテンツ再生システム１００ａを概略的に示すブロック図である。
【００９２】
図７に示すように、コンテンツ再生システム１００ａは、表示端末装置１ａおよびサーバ２ａを含んでいる。両者は、インターネットなどのネットワーク３を介して互いに接続され、データおよび情報をやり取りする。また、表示端末装置１ａは、操作装置４およびディスプレイ５に接続されている。ディスプレイは図示しないスピーカを備えており、音声出力機能を有する。なお、表示端末装置１ａ、操作装置４、およびディスプレイ５は、一体化されていてもよい。
【００９３】
表示端末装置１ａは、入力部１１、通信部１２、表示部１３、視聴予約部１４、予約情報記憶部１５、運動時間設定部１６、コンテンツ要求作成部１７、コンテンツデータ蓄積部１８、およびコマーシャル（ＣＭ）情報取得部１９（決定手段）を備えている。各部材の詳細については後述する。
【００９４】
ここで、表示端末装置１ａは例えばテレビジョン装置であり、図示しないアンテナによって放送局からの放送番組を受信する。以下、特段の断りがない限り、「番組」とは放送番組を意味するものとする。
【００９５】
サーバ２ａは、通信部２１、コンテンツリスト生成部２３、コンテンツ取得部２４、およびエクササイズコンテンツデータベース２５を備えている。各部材の詳細については後述する。
【００９６】
（コンテンツ再生システム１００ａの概要）
コンテンツ再生システム１００ａでは、表示端末装置１ａは、再生している番組のＣＭ情報を取得し、当該情報をサーバ２ａに送信する。また、表示端末装置１ａは、各ＣＭの再生時刻に達したとき、サーバ２ａにエクササイズコンテンツを要求する。
【００９７】
サーバ２ａは、表示端末装置１ａから受信したＣＭ情報に基づいて、各ＣＭ再生時間よりも短い再生時間のエクササイズコンテンツをそれぞれエクササイズコンテンツデータベース１５から検索し、検索したエクササイズコンテンツを各ＣＭ開始時刻に対応付けたコンテンツリストを生成する。
【００９８】
また、サーバ２ａは、表示端末装置１ａから受信したエクササイズコンテンツの要求に応じて、各ＣＭの再生時刻に対応するエクササイズコンテンツのデータを表示端末装置１ａに送信する。表示端末装置１ａは、受信したエクササイズコンテンツをＣＭ中に再生する。
【００９９】
これによって、ユーザは、視聴している番組のＣＭ中に、表示端末装置１ａを視聴しながらエクササイズを実施することができるため、エクササイズを習慣として継続することが可能である。
【０１００】
（エクササイズコンテンツ再生処理の一例）
コンテンツ再生システム１００ａにおけるエクササイズコンテンツ再生処理の一例について以下に説明する。
【０１０１】
＜エクササイズコンテンツの再生＞
コンテンツ再生システム１００ａでは、ユーザが表示端末装置１ａの電源を入れたとき、またはコンテンツ再生システム１００ａの実施を選択したとき（動作開始時）、チャンネルを切り替えたとき、または次の番組が開始するときをタイミングとして、エクササイズコンテンツ再生処理を開始する。表示端末装置１ａおよびサーバ２ａにおけるエクササイズコンテンツ再生処理の詳細について図８を参照して説明する。図８は、表示端末装置１ａおよびサーバ２ａにおける処理を示すフローチャートである。
【０１０２】
まず、表示端末装置１ａでは、ＣＭ情報取得部１９が、現在再生されている番組のＣＭ情報を読み込む（ステップＳ４１）。ＣＭ情報については、例えば、図示しないアンテナが放送局から受信したデータを用いればよい。また、ＣＭ情報取得部１９が読み込むＣＭ情報とは、その番組中（番組の開始時刻から終了時刻まで）に放送される各ＣＭ（番組中断から再開までの間に連続して放送される一群のＣＭ）についての、ＣＭ再生開始時刻情報およびＣＭ再生時間情報である。ＣＭ情報取得部１９は、読み込んだＣＭ情報を通信部１２に出力し、通信部１２は、入力されたＣＭ情報をサーバ２ａに送信する（ステップＳ４２）。
【０１０３】
通信部１２から送信されたＣＭ情報を、サーバ２ａの通信部２１が受信し（ステップＳ５１）、コンテンツリスト生成部２３に出力する。コンテンツリスト生成部２３は、入力されたＣＭ情報に基づいてＣＭ用コンテンツリストを生成する（ステップＳ５２）。ＣＭ用コンテンツリストでは、各エクササイズコンテンツが各ＣＭのＣＭ再生開始時刻に関連付けられてリスト化されている。このＣＭ用コンテンツリストの生成についての詳細は後述にて説明する。
【０１０４】
一方、表示端末装置１ａでは、ＣＭ再生開始時刻になるまで、表示部１３が番組を引き続き再生する（ステップＳ４３）。コンテンツ要求作成部１７は、ＣＭ再生開始時刻になったと判定すると（ステップＳ４４）、コンテンツ要求を生成して通信部１２に出力する。通信部１２は、入力されたコンテンツ要求をサーバ２ａに送信する（ステップＳ４５）。
【０１０５】
通信部１２から送信されたコンテンツ要求を、サーバ２ａの通信部２１が受信し（ステップＳ５３）、コンテンツ取得部２４に出力する。コンテンツ取得部２４は、入力されたコンテンツ要求に応じて、前もって生成されたＣＭ用コンテンツリストに基づき、そのときのＣＭ再生開始時刻に対応するエクササイズコンテンツデータをエクササイズコンテンツデータベース２５から取得し、通信部２１に出力する。通信部２１は、入力されたエクササイズコンテンツのデータを表示端末装置１ａに送信する（ステップＳ５４）。
【０１０６】
サーバ２ａから送信されたエクササイズコンテンツのデータを、表示端末装置１ａの通信部１２が受信し、コンテンツデータ蓄積部１８に出力する。コンテンツデータ蓄積部１８は、入力されたエクササイズコンテンツのデータを自ら記憶し、当該データを、表示部１３に出力する。表示部１３は、入力されたエクササイズコンテンツをディスプレイ５に表示し、これにより当該エクササイズコンテンツを再生する（ステップＳ４６）。
【０１０７】
エクササイズコンテンツを再生する際、表示部１３は図１０に示すような画面をディスプレイ５に表示することが好ましい。図１０は、ディスプレイ５の表示する画面の一例を示す図である。これによって、ユーザは、エクササイズの負荷や運動時間等の内容を予め認識することができる。
【０１０８】
また、エクササイズコンテンツの再生中、ＣＭをディスプレイ５に全く表示しないのではなく、例えばディスプレイ５を２画面にするなどして、ＣＭとエクササイズコンテンツとを同時に表示してもよい。
【０１０９】
表示部１３は、エクササイズコンテンツの再生が終了したか、もしくはユーザからの再生中止指示が入力されたか否かを判定し（ステップＳ４６）、再生終了または再生中止と判定するまで、当該エクササイズコンテンツをディスプレイ５に再生する（ステップＳ４７）。
【０１１０】
エクササイズコンテンツについて再生終了または再生中止と判定すると、表示部１３は、番組が終了しているか否か判定し（ステップＳ４８）、番組が終了していないと判定する場合にはステップＳ４３に戻り、番組再生を続ける。
【０１１１】
表示端末装置１ａおよびサーバ２ａは、ステップＳ４８において番組終了と判定するまで、またはユーザがチャンネルを変更する等による中断要求が入力されるまで、以上のステップを繰り返す。
【０１１２】
＜コンテンツリスト生成＞
次に、サーバ２ａにおけるＣＭ用コンテンツリスト生成について図９を参照して説明する。図９は、サーバ２ａにおけるＣＭ用コンテンツリスト生成の処理を示すフローチャートである。
【０１１３】
初めに、サーバ２ａでは、通信部２１が、表示端末装置１ａから受信したＣＭ情報をコンテンツリスト生成部２３に出力する。入力されたＣＭ情報のうち、コンテンツリスト生成部２３は、ＣＭ再生開始時刻情報を読み込み（ステップＳ６１）、さらにＣＭ再生時間情報を読み込む（ステップＳ６２）。
【０１１４】
コンテンツリスト生成部２３は、ＣＭ再生時間情報に基づき、各ＣＭについて、ＣＭ再生時間よりも再生時間が短いエクササイズコンテンツをエクササイズコンテンツデータベースからそれぞれ検索する（ステップＳ６３）。さらに、コンテンツリスト生成部２３は、検索したエクササイズコンテンツを、各ＣＭのＣＭ再生開始時刻に対応付けてリスト化する（ステップＳ６４）。これにより、コンテンツリスト生成部２３は、ＣＭ再生時間内に実施が可能であるＣＭ用コンテンツリストを生成する。
【０１１５】
（実施形態２の利点）
以上のように、表示端末装置１ａは、番組中のＣＭ開始時刻からエクササイズコンテンツを再生し、ＣＭ後の番組再開前にはエクササイズコンテンツの再生を終了する。その結果、ユーザは番組を視聴中の短いＣＭ時間を利用してエクササイズを実施することができるため、エクササイズを習慣として継続することが可能である。このため、本実施形態によれば、エクササイズを実行に移す際に生じる心理的な障害を取り除き、日常の運動量を増やすことが可能になる。
【０１１６】
（ＣＭ情報取得の変形例）
ＣＭ情報取得取得部１９によるＣＭ情報の取得は、上述したように番組中に放送される各ＣＭを一度に取得する方法に限らず、直近のＣＭ情報のみを取得する方法でも良い。この場合、図８におけるステップＳ４１とステップＳ４２は、ステップＳ４３の直前（ステップＳ４４とのループ内）にあればよい。
【０１１７】
（その他の変形例）
第１の実施形態における開示内容は、すべて、本実施形態にも等しく適用される。したがって、第１の実施形態の開示内容を、第２の実施形態の開示内容に組み合わせて得られる各種の変形例は、いずれも、本発明の技術的範囲に含まれる。
【０１１８】
例えば、第１の実施形態に記載したように予め運動時間を設定した際には、その運動時間がＣＭ再生時間より短い場合、ＣＭ再生時間内の設定した運動時間のみにエクササイズコンテンツを再生してもよい。
【０１１９】
〔実施形態３〕
第１および第２の実施形態における各機能は、図１１に示す表示端末装置１ｂおよび図１２に示すサーバ２ｂによって実現されてもよい。図１１は、表示端末装置１ｂを示す模式図であり、図１２は、サーバ２ｂを示す模式図である。
【０１２０】
（表示端末装置１ｂ）
表示端末装置１ｂは、図１１に示すように、各機能を実現する制御プログラムの命令を実行するＣＰＵ３１、制御プログラムを格納したプログラムメモリ３３、各種データを格納するデータメモリ３４、通信インターフェイス（通信Ｉ／Ｆ）３５、入出力インターフェイス（入出力Ｉ／Ｆ）３６、および、これらを繋ぐバス３２を備えている。また、入出力Ｉ／Ｆには、入力部３７、表示部３８、およびスピーカ３９が繋がっている。
【０１２１】
表示端末装置１では、サーバ２から送信されるエクササイズコンテンツのデータを通信Ｉ／Ｆ３５から受信し、データメモリ３４内のコンテンツ蓄積エリア３４ａに蓄積する。
【０１２２】
視聴予約を行う際には、ＣＰＵ３１は、番組予約プログラム３３ｂに沿って、表示部３８に視聴予約ページを表示させる。これによって、ユーザは、視聴予約ページを見ながら入力部３７に視聴予約情報を入力することができる。また、ＣＰＵ３１は、入力された視聴予約情報を、データメモリ３４内の視聴予約番組情報保存エリア３４ｂに保存する。
【０１２３】
視聴予約番組の開始前にエクササイズコンテンツを再生する場合では、ＣＰＵ３１が、プログラムメモリ３３から視聴予約番組前用コンテンツ再生プログラム３３ａを随時読み込み、コンテンツ蓄積エリア３４ａ内のデータを入出力Ｉ／Ｆ３６を介して、表示部３８やスピーカ３９に表示する。
【０１２４】
また、ＣＭ中にエクササイズコンテンツを再生する場合では、ＣＰＵ３１が、プログラムメモリ３３からＣＭ用コンテンツ再生プログラム３３ｃを随時読み込み、コンテンツ蓄積エリア３４ａ内のデータを入出力Ｉ／Ｆ３６を介して、表示部３８やスピーカ３９に表示する。
【０１２５】
（サーバ２ｂ）
サーバ２ｂは、図１２に示すように、各機能を実現する制御プログラムの命令を実行するＣＰＵ４１、制御プログラムを格納したプログラムメモリ４３、通信Ｉ／Ｆ４４、エクササイズコンテンツデータベース２５、および、これらを繋ぐバス４２を備えている。
【０１２６】
プログラムメモリ４３内には、エクササイズコンテンツデータベース２５内のコンテンツ情報を用いてコンテンツリストの生成を行うためのプログラムが記載されている。
【０１２７】
視聴予約番組の開始前に再生するためのコンテンツリストを生成する場合では、ＣＰＵ４１が、プログラムメモリ４３内の視聴予約番組前用コンテンツリスト生成プログラム４３ａを随時読み込み、コンテンツリストの生成を行う。
【０１２８】
また、ＣＭ用コンテンツリストを生成する場合では、ＣＰＵ４１が、プログラムメモリ４３内のＣＭ用コンテンツリスト生成プログラム４３ｂを随時読み込み、コンテンツリストの生成を行う。
【０１２９】
なお、本発明は、上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
（コンテンツ再生プログラムおよび記録媒体）
最後に、表示端末装置１（および表示端末装置１ａ）に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１３０】
すなわち表示端末装置１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０１３１】
この構成により、本発明の目的は、所定の記録媒体によっても達成できる。この記録媒体は、上述した機能を実現するソフトウェアである表示端末装置１の制御プログラムのプログラムコード（実行形式プログラム、中間コードプログラム、ソースプログラム）をコンピュータで読み取り可能に記録していればよい。表示端末装置１にこの記録媒体を供給する。これにより、コンピュータとしての表示端末装置１（またはＣＰＵやＭＰＵ）が、供給された記録媒体に記録されているプログラムコードを読み出し、実行すればよい。
【０１３２】
プログラムコードを表示端末装置１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１３３】
また表示端末装置１は、通信ネットワークと接続可能に構成しても、本発明の目的を達成できる。この場合、上記のプログラムコードを、通信ネットワークを介して表示端末装置１に供給する。この通信ネットワークは、表示端末装置１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１３４】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３５】
本発明は、隙間時間を利用してコンテンツを再生するコンテンツ再生装置として、エクササイズ、語学学習などの能力開発、および料理などのスキルアップなどの分野において幅広く利用することができる。
【符号の説明】
【０１３６】
１、１ａ  表示端末装置
２、２ａ  サーバ
４  操作装置（入力手段）
５  ディスプレイ（再生手段）
１２  通信部（送信手段、受信手段）
１４  視聴予約部（予約手段）
１６  運動時間設定部（運動時間設定手段）
１７  コンテンツ要求作成部（判定手段）
１９  ＣＭ情報取得部（決定手段）
２１  通信部（サーバ側受信手段、サーバ側送信手段）
２２  待ち時間算出部（決定手段）
２３  コンテンツリスト生成部（検索手段）
２５  エクササイズコンテンツデータベース
１００、１００ａ  コンテンツ再生システム
【図１】
2011029916.tif 000003
【図２】
2011029916.tif 000004
【図３】
2011029916.tif 000005
【図４】
2011029916.tif 000006
【図５】
2011029916.tif 000007
【図６】
2011029916.tif 000008
【図７】
2011029916.tif 000009
【図８】
2011029916.tif 000010
【図９】
2011029916.tif 000011
【図１０】
2011029916.tif 000012
【図１１】
2011029916.tif 000013
【図１２】
2011029916.tif 000014
【図１３】
2011029916.tif 000015
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
放送番組を再生するコンテンツ再生装置であって、
ある時点から所望の放送番組が再生されるまでの待ち時間の時間長を算出する算出手段と、
上記算出手段によって算出された上記待ち時間の時間長よりも短い再生時間のコンテンツを検索する検索手段と、
上記検索手段によって検索された上記コンテンツを上記待ち時間中に再生する再生手段と、
上記所望の放送番組を視聴予約する予約手段と、
ユーザにより入力された所望の時間長の予約時間を登録する登録手段と、
電源投入時またはユーザにより上記コンテンツ再生装置における各手段の実施を選択された時から、視聴予約された上記所望の放送番組の開始時刻までの残り時間が、登録された上記予約時間よりも長いか否か判定する判定手段とを備え、
上記算出手段は、
上記判定手段により上記残り時間が上記予約時間よりも長いと判定された場合、上記所望の放送番組の開始時刻より上記予約時間を引いた時刻から、当該開始時刻までの時間を上記待ち時間として、当該待ち時間の時間長を算出し、
上記判定手段により上記残り時間が上記予約時間以下であると判定された場合、電源投入時またはユーザにより上記コンテンツ再生装置における各手段の実施を選択された時から、上記所望の放送番組の開始時刻までの時間を上記待ち時間として、当該待ち時間の時間長を算出することを特徴とするコンテンツ再生装置。
【請求項２】
上記コンテンツは、ユーザに体操番組を提供するエクササイズコンテンツを含むことを特徴とする請求項１に記載のコンテンツ再生装置。
【請求項３】
ユーザの好みのコンテンツに関するユーザ情報を入力する入力手段をさらに備え、
上記検索手段は、上記入力手段により入力された上記ユーザ情報に関連する上記コンテンツを検索することを特徴とする請求項１または２に記載のコンテンツ再生装置。
【請求項４】
放送番組を再生するコンテンツ再生装置においてコンテンツを再生するコンテンツ再生方法であって、
所望の放送番組を視聴予約する予約工程と、
ユーザにより入力された所望の時間長の予約時間を登録する登録工程と、
上記コンテンツ再生装置の電源投入時またはユーザにより上記コンテンツ再生装置における当該方法の実施を選択された時から、視聴予約された上記所望の放送番組の開始時刻までの残り時間が、登録された上記予約時間よりも長いか否か判定する判定工程と、
上記判定工程の後、ある時点から所望の放送番組が再生されるまでの待ち時間の時間長を算出する算出工程と、
上記算出工程において算出された上記待ち時間の時間長よりも短い再生時間のコンテンツを検索する検索工程と、
上記検索工程において検索された上記コンテンツを上記待ち時間中に再生する再生工程とを備え、
上記算出工程は、
上記判定工程において上記残り時間が上記予約時間よりも長いと判定された場合、上記所望の放送番組の開始時刻より上記予約時間を引いた時刻から、当該開始時刻までの時間を上記待ち時間として、当該待ち時間の時間長を算出し、
上記判定工程において上記残り時間が上記予約時間以下であると判定された場合、電源投入時またはユーザにより上記コンテンツ再生装置における当該方法の実施を選択された時から、上記所望の放送番組の開始時刻までの時間を上記待ち時間として、当該待ち時間の時間長を算出することを特徴とするコンテンツ再生方法。
【請求項５】
放送番組を再生するコンテンツ再生装置、および、サーバ装置を備えており、
上記コンテンツ再生装置は、
上記サーバ装置から送信されるコンテンツを受信する受信手段と、
上記受信手段が受信した上記コンテンツを、ある時点から所望の放送番組が再生されるまでの待ち時間中に再生する再生手段と、
上記所望の放送番組を視聴予約する予約手段と、
ユーザにより入力された所望の時間長の予約時間を登録する登録手段と、
電源投入時またはユーザにより上記コンテンツ再生装置における各手段の実施を選択された時から、視聴予約された上記所望の放送番組の開始時刻までの残り時間が、登録された上記予約時間よりも長いか否か判定する判定手段と、
上記所望の番組に関する情報および上記判定手段による判定結果を上記サーバ装置に送信する送信手段とを備えており、
上記サーバ装置は、
上記送信手段から送信される情報を受信するサーバ側受信手段と、
上記待ち時間の時間長を算出する算出手段と、
上記待ち時間の時間長よりも短い再生時間の上記コンテンツを検索する検索手段と、
上記検索手段によって検索された上記コンテンツを、上記コンテンツ再生装置に送信するサーバ側送信手段とを備えており、
上記算出手段は、
上記判定手段により上記残り時間が上記予約時間よりも長いと判定された場合、上記所望の放送番組の開始時刻より上記予約時間を引いた時刻から、当該開始時刻までの時間を上記待ち時間として、当該待ち時間の時間長を算出し、
上記判定手段により上記残り時間が上記予約時間以下であると判定された場合、電源投入時またはユーザにより上記コンテンツ再生装置における各手段の実施を選択された時から、上記所望の放送番組の開始時刻までの時間を上記待ち時間として、当該待ち時間の時間長を算出する
ことを特徴とするコンテンツ再生システム。
【請求項６】
放送番組を再生するコンテンツ再生装置、および、サーバ装置を備えており、
上記コンテンツ再生装置は、
上記サーバ装置から送信されるコンテンツを受信する受信手段と、
ある時点から所望の放送番組が再生されるまでの待ち時間の時間長を算出する算出手段と、
上記受信手段が受信した上記コンテンツを、上記待ち時間中に再生する再生手段と、
上記所望の放送番組を視聴予約する予約手段と、
ユーザにより入力された所望の時間長の予約時間を登録する登録手段と、
電源投入時またはユーザにより上記コンテンツ再生装置における各手段の実施を選択された時から、視聴予約された上記所望の放送番組の開始時刻までの残り時間が、登録された上記予約時間よりも長いか否か判定する判定手段と、
上記所望の番組に関する情報、および上記算出手段によって算出された上記待ち時間の時間長に関する情報を上記サーバ装置に送信する送信手段とを備えており、
上記算出手段は、
上記判定手段により上記残り時間が上記予約時間よりも長いと判定された場合、上記所望の放送番組の開始時刻より上記予約時間を引いた時刻から、当該開始時刻までの時間を上記待ち時間として、当該待ち時間の時間長を算出し、
上記判定手段により上記残り時間が上記予約時間以下であると判定された場合、電源投入時またはユーザにより上記コンテンツ再生装置における各手段の実施を選択された時から、上記所望の放送番組の開始時刻までの時間を上記待ち時間として、当該待ち時間の時間長を算出するものであり、
上記サーバ装置は、
上記送信手段から送信される情報を受信するサーバ側受信手段と、
上記待ち時間の時間長よりも短い再生時間の上記コンテンツを検索する検索手段と、
上記検索手段によって検索された上記コンテンツを、上記コンテンツ再生装置に送信するサーバ側送信手段とを備えていることを特徴とするコンテンツ再生システム。
【請求項７】
請求項１〜３のいずれか１項に記載のコンテンツ再生装置を動作させるコンテンツ再生プログラムであって、コンピュータを上記の各手段として機能させるためのコンテンツ再生プログラム。
【請求項８】
請求項７に記載のコンテンツ再生プログラムを記録しているコンピュータ読み取り可能な記録媒体。